(57)【特許請求の範囲】
【請求項１】
第１の壁面と、
上記第１の壁面と対向した第２の壁面とを有する壁であって、
上記第２の壁面の一部または全部から構成されるリアプロジェクション用スクリーンと、
上記第１の壁面および上記第２の壁面の間に配置された、上記リアプロジェクション用スクリーンに画像を投影する複数個のプロジェクタと、
上記第１の壁面の、上記プロジェクタの配置位置に対応した部位に、該プロジェクタのメンテナンスを行うためのメンテナンス孔と
を備え、
上記プロジェクタは、隣接する他の上記プロジェクタにより投影される画像の一部と重なるように上記画像を投影する
ことを特徴とする壁。
【請求項２】
上記プロジェクタは、上記第１の壁面および上記第２の壁面の間に存在する建築構造部
材に固定される
ことを特徴とする請求項１に記載の壁。
【請求項３】
上記第１の壁面および上記第２の壁面の間に、上記プロジェクタからの投影光を反射して上記リアプロジェクション用スクリーンに入射させるための反射鏡がさらに配置されている
ことを特徴とする請求項１に記載の壁。
【請求項４】
上記反射鏡は、上記第１の壁面および上記第２の壁面の間に存在
する建築構造部材に固定される
ことを特徴とする請求項３に記載の壁。
【請求項５】
上記リアプロジェクション用スクリーンおよび上記プロジェクタは、同一種類毎に、あるいは複数種類の組み合わせ毎に、モジュール化されている
ことを特徴とする請求項１に記載の壁。
【請求項６】
プロジェクタの配置位置に対応した部位に、該プロジェクタのメンテナンスを行う際に用いられるメンテナンス孔が設けられている第１の壁面と、
上記第１の壁面と対向した第２の壁面とを有する壁であって、
上記第２の壁面の一部または全部から構成されるリアプロジェクション用スクリーンと、
上記第１の壁面および上記第２の壁面の間に配置された、上記リアプロジェクション用スクリーンに画像を投影する複数個の上記プロジェクタと、
上記第１の壁面および上記第２の壁面の間に配置された、上記プロジェクタからの投影光を反射して上記リアプロジェクション用スクリーンに入射させるための複数個の反射鏡と
を備え、
上記反射鏡は、他の上記反射鏡により反射された上記プロジェクタからの投影光の一部と重なるように上記投影光を反射して上記リアプロジェクション用スクリーンに入射させ、
ことを特徴とする壁。
【請求項７】
上記反射鏡は、上記第１の壁面および上記第２の壁面の間に存在する建築構造部材に固定される
ことを特徴とする請求項６に記載の壁。
【請求項８】
上記プロジェクタは、上記第１の壁面および上記第２の壁面の間に存在する建築構造部材に固定される
ことを特徴とする請求項６に記載の壁。
【請求項９】
上記リアプロジェクション用スクリーンおよび上記反射鏡は、同一種類毎に、あるいは複数種類の組み合わせ毎に、モジュール化されている
ことを特徴とする請求項６に記載の壁。
【発明の詳細な説明】
【技術分野】
【０００１】
この発明は、例えば住居、学校の教室、会社の研修室などの壁に適用して好適な壁に関する。詳しくは、この発明は、互いに対向する第１、第２の壁面を有するものであって、第２の壁面の一部または全部をリアプロジェクション用スクリーンで構成し、またこの第１、第２の壁面の間に、上述のスクリーンに画像を投影するプロジェクタ、またはプロジェクタからの投影光を反射して上述のスクリーンに入射させるための反射鏡を配置することによって、室内の実質的な床面積を狭くせずに、また室内が配線等によって乱雑となることなく、プロジェクタによる画像表示が可能となるようにした壁に係るものである。
【背景技術】
【０００２】
従来、リアプロジェクション用スクリーンにプロジェクタで画像を投影する画像表示装置が知られている。例えば、特許文献１には、このような画像表示装置としての、液晶リアプロジェクションテレビが記載されている。
【０００３】
【特許文献１】特開平５−１６１１５１号公報
【発明の開示】
【発明が解決しようとする課題】
【０００４】
特許文献１に記載される液晶リアプロジェクションテレビでは、プロジェクタからの投影光を反射鏡（ミラー）を用いて反射させた後にスクリーンに入射させることで、薄型化を図っている。
【０００５】
しかし、このような液晶リアプロジェクションテレビは、室内に配置されて使用されるものであって、それ自体が上述したように薄型化されたとしても、室内の実質的な床面積が狭くなり、また室内が配線等によって乱雑となることに変わりはない。
【０００６】
この発明の目的は、室内の実質的な床面積を狭くせずに、また室内が配線等によって乱雑となることなく、プロジェクタによる画像表示を可能とすることにある。
【課題を解決するための手段】
【０００７】
この発明に係る壁は、第１の壁面と、この第１の壁面と対向した第２の壁面とを有する壁であって、第２の壁面の一部または全部から構成されるリアプロジェクション用スクリーンと、第１の壁面および第２の壁面の間に配置された、リアプロジェクション用スクリーンに画像を投影する複数個のプロジェクタと、第１の壁面の、プロジェクタの配置位置に対応した部位に、該プロジェクタのメンテナンスを行うためのメンテナンス孔とを備え、プロジェクタは、隣接する他のプロジェクタにより投影される画像の一部と重なるように画像を投影するものである。
【０００８】
この発明においては、第１の壁面と対向した第２の壁面とを有する壁であって、第２の壁面の一部または全部が、リアプロジェクション用スクリーンで構成される。第２の壁面の一部がリアプロジェクション用スクリーンで構成されている場合、例えば当該第２の壁面の中央部がリアプロジェクション用スクリーンで構成される。そして、第１の壁面および第２の壁面の間に複数個のプロジェクタが配置されている。このプロジェクタによりリアプロジェクション用スクリーンに画像が投影される。また、プロジェクタは、隣接する他のプロジェクタにより投影される画像の一部と重なるように画像を投影する。さらに、プロジェクタの配置位置に対応した部位にメンテナンス孔が配置されている。このメンテナンス孔によりプロジェクタのメンテナンスを行う。
【０００９】
このように一部または全部がリアプロジェクション用スクリーンで構成される第２の壁面に画像が表示されるものであり、プロジェクタ、スクリーン等を室内に配置するものではなく、室内の実質的な床面積を狭くせずに、また室内が配線等によって乱雑となることなく、プロジェクタによる画像表示が可能となる。
【００１０】
第１の壁面および第２の壁面の間に、複数個のプロジェクタが配置される場合、各プロジェクタはそれぞれリアプロジェクション用スクリーンの割り当てられた小領域に画像を投影すればよく、プロジェクタからスクリーンまでの光路長を短くでき、第１の壁面と第２の壁面との間の距離、つまり壁厚を小さくできる。
【００１１】
また例えば、プロジェクタは、第１の壁面および第２の壁面の間に存在する、柱、梁、筋交い等の建築構造部材に固定される。この場合、プロジェクタを固定するために、建築構造部材を取り払うものでなく、その建築構造部材を積極的に利用するものであり、住居等の建築物の強度を落とさずに、プロジェクタを固定できる。
【００１２】
また例えば、第１の壁面および第２の壁面の間に、プロジェクタからの投影光を反射してリアプロジェクション用スクリーンに入射させるための反射鏡がさらに配置されている。この場合、プロジェクタからの投影光の光路が反射鏡によって折り畳まれるので、第１の壁面と第２の壁面との間の距離、つまり壁厚をさらに小さくできる。この反射鏡も、例えば第１の壁面および第２の壁面の間に存在する建築構造部材に固定される。これにより、住居等の建築物の強度を落とさずに、反射鏡を固定できる。
【００１３】
第１の壁面の、プロジェクタの配置位置に対応した部位に、このプロジェクタのメンテナンスを行う際に用いられるメンテナンス孔が設けられる。これにより、プロジェクタの故障時等には、このメンテナンス孔を通して、メンテナンス作業を簡単に行うことができる。
【００１４】
また例えば、リアプロジェクション用スクリーン、プロジェクタ、反射鏡は、同一種類毎に、あるいは複数種類の組み合わせ毎に、モジュール化されている。この場合、各モジュールを壁面（第１の壁面）に嵌め込むだけで、第２の壁面にプロジェクタによる画像表示を行い得る壁を容易に得ることができる。
【００１５】
この発明に係る壁は、プロジェクタの配置位置に対応した部位に、該プロジェクタのメンテナンスを行う際に用いられるメンテナンス孔が設けられている第１の壁面と、この第１の壁面と対向した第２の壁面とを有する壁であって、第２の壁面の一部または全部から構成されるリアプロジェクション用スクリーンと、第１の壁面および第２の壁面の間に配置された、リアプロジェクション用スクリーンに画像を投影する複数個のプロジェクタと、第１の壁面および第２の壁面の間に配置された、プロジェクタからの投影光を反射してリアプロジェクション用スクリーンに入射させるための複数個の反射鏡とを備え、反射鏡は、他の反射鏡により反射されたプロジェクタからの投影光の一部と重なるように投影光を反射してリアプロジェクション用スクリーンに入射させるものである。
【００１６】
この発明においては、プロジェクタの配置位置に対応した部位に、該プロジェクタのメンテナンスを行う際に用いられるメンテナンス孔が設けられている第１の壁面と対向した第２の壁面の一部または全部が、リアプロジェクション用スクリーンで構成される。第２の壁面の一部がリアプロジェクション用スクリーンで構成されている場合、例えば当該第２の壁面の中央部がリアプロジェクション用スクリーンで構成される。そして、第１の壁面および第２の壁面の間に複数個のプロジェクタと、プロジェクタからの投影光を反射してリアプロジェクション用スクリーンに入射させるための複数個の反射鏡が配置されている。この反射鏡は、他の反射鏡により反射されたプロジェクタからの投影光の一部と重なるように投影光を反射してリアプロジェクション用スクリーンに入射させる。
【００１７】
このように一部または全部がリアプロジェクション用スクリーンで構成される第２の壁面に画像が表示されるものであり、反射鏡、スクリーン等を室内に配置するものではなく、室内の実質的な床面積を狭くせずに、また室内が配線等によって乱雑となることなく、プロジェクタによる画像表示が可能となる。また、プロジェクタからの投影光の光路が反射鏡によって折り畳まれるので、第１の壁面と第２の壁面との間の距離、つまり壁厚を小さくできる。
【００１８】
第１の壁面および第２の壁面の間に、複数個の反射鏡が配置される場合、各反射鏡はそれぞれリアプロジェクション用スクリーンの割り当てられた小領域にプロジェクタからの投影光を入射させればよく、反射鏡からスクリーンまでの光路長を短くでき、第１の壁面と第２の壁面との間の距離、つまり壁厚を小さくできる。
【００１９】
また例えば、反射鏡は、第１の壁面および第２の壁面の間に存在する、柱、梁、筋交い等の建築構造部材に固定される。この場合、反射鏡を固定するために、建築構造部材を取り払うものでなく、その建築構造部材を積極的に利用するものであり、住居等の建築物の強度を落とさずに、反射鏡を固定できる。
【００２０】
また例えば、プロジェクタは、第１の壁面および第２の壁面の間に存在する建築構造部材に固定される。これにより、住居等の建築物の強度を落とさずに、プロジェクタを固定できる。第１の壁面の、プロジェクタの配置位置に対応した部位に、このプロジェクタのメンテナンスを行う際に用いられるメンテナンス孔が設けられる。これにより、プロジェクタの故障時等には、このメンテナンス孔を通して、メンテナンス作業を簡単に行うことができる。
【００２２】
また例えば、リアプロジェクション用スクリーン、プロジェクタ、反射鏡は、同一種類毎に、あるいは複数種類の組み合わせ毎に、モジュール化されている。この場合、各モジュールを壁面（第１の壁面）に嵌め込むだけで、第２の壁面にプロジェクタによる画像表示を行い得る壁を容易に得ることができる。
【発明の効果】
【００２３】
この発明によれば、互いに対向する第１、第２の壁面を有するものであって、第２の壁面の一部または全部をリアプロジェクション用スクリーンで構成し、またこの第１、第２の壁面の間に、上述のスクリーンに画像を投影するプロジェクタ、またはプロジェクタからの投影光を反射して上述のスクリーンに入射させるための反射鏡を配置するものであり、室内の実質的な床面積を狭くせずに、また室内が配線等によって乱雑となることなく、プロジェクタによる画像表示を行うことができる。
【発明を実施するための最良の形態】
【００２４】
この発明の第１の実施の形態について説明する。図１は、第１の実施の形態としての壁１００の構成を示している。
【００２５】
この壁１００は、天井面ＣＥと床面ＦＬとの間に立設された、互いに対向する第１の壁面１１０および第２の壁面１２０を有している。第１の壁面１１０は、隣室側の壁面であって、例えば石膏ボードなどの一般的な建築部材で構成されている。第２の壁面１２０は、室内側の壁面であって、その全部がリアプロジェクション用スクリーンで構成されている。このリアプロジェクション用スクリーンは、例えばアクリル板あるいはガラス板に光拡散シートを張り付けることで生成される。
【００２６】
第１の壁面１１０および第２の壁面１２０の間である壁内には、所定個数、本実施の形態では４個のプロジェクタ１３１〜１３４が配置されている。これらプロジェクタ１３１〜１３４は、それぞれリアプロジェクション用スクリーンで構成される第２の壁面１２０に画像を投影するためのものである。この場合、プロジェクタ１３１〜１３４はそれぞれ第２の壁面１２０の割り当てられた小領域に画像を投影する。これにより、第２の壁面１２０の全体に１つの合成された画像が表示される。
【００２７】
この第１の壁面１１０および第２の壁面１２０の間である壁内には、住居の建築構造部材である、柱ＰＩおよび筋交いＢＲが配設されている。プロジェクタ１３１〜１３４は、図２に示すように、この住居の建築構造部材を構成する筋交いＢＲに、断面直角三角形状の固定補助部材１４０を介して、固定されている。この固定補助部材１４０により、プロジェクタ１３１〜１３４は、傾斜した筋交いＢＲに対して、水平に保持されたまま固定可能となる。
【００２８】
第１の壁面１１０および第２の壁面１２０の間である壁内には、リアプロジェクション用スクリーンで構成される第２の壁面を除き、つや消し黒色塗装が施されている。
【００２９】
また、第１の壁面１１０の、プロジェクタ１３１〜１３４の配置位置に対応した部位に、図２に示すように、これらプロジェクタ１３１〜１３４のメンテナンスを行う際に用いられるメンテナンス孔１５１〜１５４が設けられている。これらメンテナンス孔１５１〜１５４は、メンテナンス作業を行うとき以外は、図示しない蓋体で覆われている。
【００３０】
上述したように、プロジェクタ１３１〜１３４は、それぞれ第２の壁面１２０の割り当てられた小領域に画像を投影する。この場合、プロジェクタ１３１〜１３４の投影範囲が、多少重なるようにされる。例えば、図３Ａ，Ｂに示すように、第２の壁面１２０、従ってリアプロジェクション用スクリーンの高さが２．４ｍで、その幅が３．６ｍ（６畳間の長手方向の距離に相当）である場合、プロジェクタの投影面積が２．０ｍ×１．５ｍ、プロジェクタの投影距離が２．０ｍに設定される。
【００３１】
図３Ｂにおいて、左上の矩形領域Ｄ１はプロジェクタ１３１の投影範囲を示し、左下の矩形領域Ｄ２はプロジェクタ１３２の投影範囲を示し、右上の矩形領域Ｄ３はプロジェクタ１３３の投影範囲を示し、右下の矩形領域Ｄ４はプロジェクタ１３４の投影範囲を示している。この場合、垂直方向には０．６ｍの投影範囲の重なりができ、水平方向には０．４ｍの投影範囲の重なりができる。
【００３２】
このように、図１、図２に示す壁１００においては、リアプロジェクション用スクリーンで構成される第２の壁面１２０に画像が表示されるものであり、プロジェクタ、スクリーン等を室内に配置するものではなく、室内の実質的な床面積を狭くせずに、また室内が配線等によって乱雑となることなく、プロジェクタによる画像表示が可能となる。
【００３３】
また、図１、図２に示す壁１００においては、第１の壁面１１０および第２の壁面１２０の間に、４個のプロジェクタ１３１〜１３４が配置され、各プロジェクタはそれぞれ第２の壁面（リアプロジェクション用スクリーン）１２０の割り当てられた小領域に画像を投影すればよく、プロジェクタからスクリーンまでの光路長を短くでき、第１の壁面１１０と第２の壁面１２０との間の距離、つまり壁厚を小さくできる。
【００３４】
また、図１、図２に示す壁１００においては、プロジェクタ１３１〜１３４は、第１の壁面１１０および第２の壁面１２０の間に存在する、建築構造部材としての筋交いＢＲに固定されるものであり、プロジェクタ１３１〜１３４を固定するために、建築構造部材を取り払うものでなく、その建築構造部材を積極的に利用するものであり、住居等の建築物の強度を落とさずに、プロジェクタ１３１〜１３４を固定できる。
【００３５】
また、図１、図２に示す壁１００においては、第１の壁面１１０の、プロジェクタ１３１〜１３４の配置位置に対応した部位に、このプロジェクタ１３１〜１３４のメンテナンスを行う際に用いられるメンテナンス孔１５１〜１５４が設けられるものであり、プロジェクタ１３１〜１３４の故障時等には、隣室からこのメンテナンス孔１５１〜１５４を通して、メンテナンス作業を簡単に行うことができる。
【００３６】
なお、図１、図２に示す壁１００においては、第２の壁面１２０の全部をリアプロジェクション用スクリーンで構成したものであるが、この第２の壁面１２０の一部のみをリアプロジェクション用スクリーンで構成するようにしてもよい。この場合、例えば第２の壁面１２０の中央部がリアプロジェクション用スクリーンで構成され、その周辺部は石膏ボードなどで構成されることとなる。
【００３７】
また、図１、図２に示す壁１００においては、第１の壁面１１０および第２の壁面１２０の間である壁内に４個のプロジェクタ１３１〜１３４を配置したものであるが、壁内に配置されるプロジェクタの個数はこれに限定されるものではなく、その他の複数個あるいは一個であってもよい。
【００３８】
また、図１、図２に示す壁１００においては、この発明を住居の壁に適用したものであるが、この発明は学校の教室、会社の研修室などの壁にも同様に適用できる。
【００３９】
次に、この発明の第２の実施の形態について説明する。図４は、第２の実施の形態としての壁２００の構成を示している。
【００４０】
この壁２００は、天井面ＣＥと床面ＦＬとの間に立設された、互いに対向する第１の壁面２１０および第２の壁面２２０を有している。第１の壁面２１０は、室外側の壁面であって、例えば石膏ボードなどの一般的な建築部材で構成されている。第２の壁面２２０は、室内側の壁面であって、リアプロジェクション用スクリーンで構成されている。この第２の壁面２２０は、図５Ｃに示すようなスクリーンモジュールＳＣＭが１つ用意され、このスクリーンモジュールＳＣＭを嵌め込むことで形成される。このスクリーンモジュールＳＣＭは、例えばアクリル板あるいはガラス板に光拡散シートを張り付けることで得られる。
【００４１】
また、第１の壁面２１０および第２の壁面２２０の間である壁内には、所定個数、本実施の形態では４個の反射鏡２３１〜２３４が配置されている。これら反射鏡２３１〜２３４は、２×２のマトリックス状に配置されている。これら反射鏡２３１〜２３４は、プロジェクタからの投影光を反射して、リアプロジェクション用スクリーンで構成される第２の壁面２２０に入射させる。この場合、反射鏡２３１〜２３４はそれぞれ第２の壁面２２０の割り当てられた小領域にプロジェクタからの投影光を入射させる。これにより、第２の壁面２２０の全体に１つの合成された画像が表示される。
【００４２】
これら反射鏡２３１〜２３４は、図５Ｂに示すような光学系モジュールＰＨＭが４つ用意され、第１の壁面２１０および第２の壁面２２０の間にこの４つの光学系モジュールＰＨＭを嵌め込むことで、第１の壁面２１０および第２の壁面２２０の間である壁内に配置される。ここで、光学系モジュールＰＨＭは、外観が直方体状の筐体２４１の内部に反射鏡２３０が配設されたものであり、筐体２４１はプロジェクタからの投影光を通過させる第１の開口部２４２と、反射鏡２３０で反射された投影光を通過させる第２の開口部２４３とを備えている。
【００４３】
反射鏡２３１〜２３４にそれぞれ投影光を供給するプロジェクタ２５１〜２５４は、第１の壁面２１０および第２の壁面２２０の間から外れた位置に配置されている。プロジェクタ２５１，２５３は、図５Ａに示すようなプロジェクタモジュールＰＲＭを２つ用意し、これを天井裏に嵌め込むことで、天井裏に配置される。また、プロジェクタ２５２，２５４は、図５Ａに示すようにプロジェクタモジュールＰＲＭを２つ用意し、これを床下に嵌め込むことで、床下に配置される。ここで、プロジェクタモジュールＰＲＭは、外観が直方体状の筐体２６１の内部にプロジェクタ２５０が配設されたものであり、筐体２６１はプロジェクタからの投影光を通過させる開口部２６２と、プロジェクタ２５０のメンテナンスを行う際に用いられるメンテナンス孔２６３とを備えている。このメンテナンス孔２６３は、メンテナンス作業を行うとき以外は、図示しない蓋体で覆われている。
【００４４】
上述したように、反射鏡２３１〜２３４は、それぞれ第２の壁面２２０の割り当てられた小領域に、プロジェクタ２５１〜２５４からの投影光を反射して入射させる。この場合、プロジェクタ２５１〜２５４の投影範囲が、多少重なるようにされる（図３Ｂ参照）。
【００４５】
このように、図４に示す壁２００においては、リアプロジェクション用スクリーンで構成される第２の壁面２２０に画像が表示されるものであり、プロジェクタ、スクリーン等を室内に配置するものではなく、室内の実質的な床面積を狭くせずに、また室内が配線等によって乱雑となることなく、プロジェクタによる画像表示が可能となる。
【００４６】
また、図４に示す壁２００においては、プロジェクタ２５１〜２５４からの投影光の光路がそれぞれ反射鏡２３１〜２３４によって折り畳まれるので、第１の壁面２１０と第２の壁面２２０との間の距離、つまり壁厚を小さくできる。
【００４７】
また、図４に示す壁２００においては、第１の壁面２１０および第２の壁面２２０の間に、複数個の反射鏡２３１〜２３４が配置され、各反射鏡はそれぞれリアプロジェクション用スクリーンの割り当てられた小領域にプロジェクタからの投影光を入射させればよく、反射鏡からスクリーンまでの光路長を短くでき、第１の壁面２１０と第２の壁面２２０との間の距離、つまり壁厚を小さくできる。
【００４８】
また、図４に示す壁２００は、リアプロジェクション用スクリーンがモジュール化されたスクリーンモジュールＳＣＭ、反射鏡２３０がモジュール化された光学系モジュールＰＨＭを壁面（第１の壁面）に嵌め込むだけで、容易に形成できる。
【００４９】
また、図４に示す壁２００においては、プロジェクタモジュールＰＲＭの筐体２６１にメンテナンス孔２６３を設けているので、プロジェクタ２５１〜２５４の故障時等には、室内から天井、床のメンテナンス孔２６３を通して、メンテナンス作業を簡単に行うことができる。
【００５０】
なお、図４に示す壁２００においては、第２の壁面２２０の全部をリアプロジェクション用スクリーンで構成したものであるが、この第２の壁面２２０の一部のみをリアプロジェクション用スクリーンで構成するようにしてもよい。この場合、例えば第２の壁面２２０の中央部がリアプロジェクション用スクリーンで構成され、その周辺部は石膏ボードなどで構成されることとなる。
【００５１】
また、図４に示す壁２００においては、第１の壁面２１０および第２の壁面２２０の間である壁内に４個の反射鏡２３１〜２３４を配置したものであるが、壁内に配置される反射鏡の個数はこれに限定されるものではなく、その他の複数個あるいは一個であってもよい。
【００５２】
また、図４に示す壁２００においては、この発明を住居の壁に適用したものであるが、この発明は学校の教室、会社の研修室などの壁にも同様に適用できる。
【００５３】
また、図４に示す壁２００においては、第１の壁面２１０および第２の壁面２２０の間である壁内に光学系モジュールＰＨＭを嵌め込むことで、反射鏡２３１〜２３４を当該壁内に配置している。
【００５４】
しかし、モジュール化していない反射鏡２３１〜２３４自体を、例えば図１、図２に示す壁１００におけるプロジェクタ１３１〜１３４と同様に、柱ＰＩ、筋交いＢＲ等の建築構造部材に固定することで、反射鏡２３１〜２３４を当該壁内に配置するようにしてもよい。この場合、反射鏡２３１〜２３４を固定するために、建築構造部材を取り払うものでなく、その建築構造部材を積極的に利用するものであり、住居等の建築物の強度を落とさずに、反射鏡２３１〜２３４を固定できる。
【００５５】
また、図４に示す壁２００においては、プロジェクタ２５１〜２５４を、第１の壁面２１０および第２の壁面２２０の間から外れた位置に配置したものであるが、これらプロジェクタ２５１〜２５４を、反射鏡２３１〜２３４と同様に、第１の壁面２１０および第２の壁面２２０の間に配置することも考えられる。
【００５６】
この場合、このプロジェクタ２５１〜２５４も、例えば第１の壁面２１０および第２の壁面２２０の間に存在する建築構造部材に固定できる。これにより、住居等の建築物の強度を落とさずに、プロジェクタ２５１〜２５４を固定できる。
【００５７】
またこの場合、第１の壁面２１０の、プロジェクタ２５１〜２５４の配置位置に対応した部位に、このプロジェクタ２５１〜２５４のメンテナンスを行う際に用いられるメンテナンス孔を設けることができる。これにより、プロジェクタ２５１〜２５４の故障時等には、このメンテナンス孔を通して、メンテナンス作業を簡単に行うことができる。
【００５８】
また、図４に示す壁２００においては、スクリーンモジュールＳＣＭ、光学系モジュールＰＨＭ、プロジェクタモジュールＰＲＭ等のように、同一種類毎に、つまりリアプロジェクション用スクリーン、反射鏡、プロジェクタのそれぞれがモジュール化されたものであるが、複数種類の組み合わせ毎にモジュール化することも考えられる。例えば、反射鏡およびプロジェクタの部分を合わせてモジュール化してもよい。
【００５９】
また、上述せずも、図１、図２に示す壁１００においても、リアプロジェクション用スクリーンおよびプロジェクタの部分をモジュール化し、各モジュールを第１の壁面１１０に嵌め込むことで、当該壁１００を形成してもよい。
【００６０】
上述した実施の形態に基づく、この発明の主なポイントを説明する。
（ポイント１）この発明は、図６に示すように、互いに対向した第１の壁面および第２の壁面とを有する壁であって、第２の壁面の一部または全部はリアプロジェクション用スクリーンで構成され、第１の壁面および第２の壁面の間にプロジェクタが配置されている壁にある。この発明によれば、プロジェクタ、スクリーン等を室内に配置するものではなく、室内の実質的な床面積を狭くせずに、また室内が配線等によって乱雑となることなく、プロジェクタによる画像表示が可能となる。
【００６１】
（ポイント２）この発明は、図７に示すように、互いに対向した第１の壁面および第２の壁面とを有する壁であって、第２の壁面の一部または全部はリアプロジェクション用スクリーンで構成され、第１の壁面および第２の壁面の間にプロジェクタからの投影光を反射してリアプロジェクション用スクリーンに入射させるための反射鏡が配置されている壁にある。この発明によれば、反射鏡、スクリーン等を室内に配置するものではなく、室内の実質的な床面積を狭くせずに、また室内が配線等によって乱雑となることなく、プロジェクタによる画像表示が可能となる。なお、図７は、プロジェクタも第１の壁面および第２の壁面の間に配置されている例を示している。
【００６２】
（ポイント３）この発明は、図８に示すように、第１の壁面および第２の壁面の間に配置されるプロジェクタが、柱、梁、筋交い等の建築構造部材に固定されるものである。この発明によれば、プロジェクタを固定するために、建築構造部材を取り払うものでなく、その建築構造部材を積極的に利用するものであり、住居等の建築物の強度を落とさずに、プロジェクタを固定できる。
【００６３】
（ポイント４）この発明は、図９に示すように、第１の壁面および第２の壁面の間に配置される反射鏡が、柱、梁、筋交い等の建築構造部材に固定されるものである。この発明によれば、反射鏡を固定するために、建築構造部材を取り払うものでなく、その建築構造部材を積極的に利用するものであり、住居等の建築物の強度を落とさずに、反射鏡を固定できる。
【００６４】
（ポイント５）この発明は、図１０に示すように、第１の壁面の、プロジェクタの配置位置に対応した部位に、このプロジェクタのメンテナンスを行う際に用いられるメンテナンス孔を設けるものである。この発明によれば、プロジェクタの故障時等には、隣室などから、このメンテナンス孔を通して、メンテナンス作業を簡単に行うことができる。
【００６５】
（ポイント６）この発明は、第１の壁面および第２の壁面の間に複数個のプロジェクタが配置されるものである。この発明によれば、各プロジェクタはそれぞれリアプロジェクション用スクリーンの割り当てられた小領域に画像を投影すればよく、プロジェクタからスクリーンまでの光路長を短くでき、第１の壁面と第２の壁面との間の距離、つまり壁厚を小さくできる。
【００６６】
（ポイント７）この発明は、第１の壁面および第２の壁面の間に複数個の反射鏡が配置されるものである。この発明によれば、各反射鏡はそれぞれリアプロジェクション用スクリーンの割り当てられた小領域にプロジェクタからの投影光を反射して入射させればよく、反射鏡からスクリーンまでの光路長を短くでき、第１の壁面と第２の壁面との間の距離、つまり壁厚を小さくできる。
【００６７】
（ポイント８）この発明は、図１１に示すように、リアプロジェクション用スクリーン、反射鏡、プロジェクタは、同一種類毎に、あるいは複数種類の組み合わせ毎に、モジュール化されているものである。この発明によれば、各モジュールを壁面（第１の壁面）に嵌め込むだけで、第２の壁面にプロジェクタによる画像表示を行い得る壁を容易に得ることができる。なお、図１１は、第１の壁面および第２の壁面の間に反射鏡が配置され、プロジェクタはこの第１の壁面および第２の壁面の間から外れた位置（天井裏、床下）に配置されている例である。また、この図１１は、同一種類毎のモジュール、スクリーンモジュールＳＣＭ、光学系モジュールＰＨＭ、プロジェクタモジュールＰＲＭを用いた例である。
【産業上の利用可能性】
【００６８】
この発明は、室内の実質的な床面積を狭くせずに、また室内が配線等によって乱雑となることなく、プロジェクタによる画像表示が可能となるものであり、例えば住居、学校の教室、会社の研修室などの壁に適用できる。
【図面の簡単な説明】
【００６９】
【図１】第１の実施の形態としての壁の構成を示す斜視図である。
【図２】壁の内部を示す正面図である。
【図３】各プロジェクタの撮影範囲を説明するための図である。
【図４】第２の実施の形態としての壁の構成を示す側面図である。
【図５】各モジュールを説明するための斜視図である。
【図６】発明のポイントを説明するための図である。
【図７】発明のポイントを説明するための図である。
【図８】発明のポイントを説明するための図である。
【図９】発明のポイントを説明するための図である。
【図１０】発明のポイントを説明するための図である。
【図１１】発明のポイントを説明するための図である。
【符号の説明】
【００７０】
１００・・・壁、１１０・・・第１の壁面、１２０・・・第２の壁面、１３１〜１３４・・・プロジェクタ、１４０・・・固定補助部材、１５１〜１５４・・・メンテナンス孔、２００・・・壁、２１０・・・第１の壁面、２２０・・・第２の壁面、２３１〜２３４・・・反射鏡、２５１〜２５４・・・プロジェクタ、ＣＥ・・・天井面、ＦＬ・・・床面、ＰＩ・・・柱、ＢＲ・・・筋交い、ＳＣＭ・・・スクリーンモジュール、ＰＨＭ・・・光学系モジュール、ＰＲＭ・・・プロジェクタモジュール
【図１】
0004623362.tif 000002
【図２】
0004623362.tif 000003
【図３】
0004623362.tif 000004
【図４】
0004623362.tif 000005
【図５】
0004623362.tif 000006
【図６】
0004623362.tif 000007
【図７】
0004623362.tif 000008
【図８】
0004623362.tif 000009
【図９】
0004623362.tif 000010
【図１０】
0004623362.tif 000011
【図１１】
0004623362.tif 000012